(57)【要約】 【課題】一度の操作で貨幣の入金処理と出金処理の両方を行うことができ、このためこれらの２つの処理の間に発生する操作者の待ち時間を削減することができる貨幣処理機を提供する。【解決手段】制御部５０において、釣銭用等の出金すべき貨幣である準備貨幣の所定の貨幣量（準備貨幣の所定の金種およびその金種毎の枚数、あるいは所定の合計金額）が設定されている。この制御部５０は、投入部１２により筐体１０の外部から内部に貨幣を取り込み、この取り込まれた貨幣を一時保留部２０に送るような入金処理を行った後に、準備貨幣の所定の貨幣量分の貨幣を収納部２２から投出部１４に送るような出金処理を自動的に行うよう、投入部１２、搬送部１６、収納部２２および一時保留部２０の制御を行うようになっている。【選択図】図２
2010224808.tif 000002
【特許請求の範囲】
【請求項１】
貨幣を処理する貨幣処理機であって、
筐体と、
前記筐体の外部から内部に貨幣を投入するための投入部と、
前記筐体の内部にある貨幣を外部に投出するための投出部と、
前記筐体の内部に設けられ、前記投入部および前記投出部にそれぞれ接続され、前記筐体内で貨幣を搬送するための搬送部と、
前記搬送部に設けられ、前記投入部により前記筐体の外部から内部に投入された貨幣の識別を行う識別部と、
前記筐体の内部において前記搬送部に接続され、前記搬送部から送られた貨幣を収納するとともに、収納した貨幣を前記搬送部に繰り出す収納部と、
前記筐体の内部において前記搬送部に接続され、前記投入部により前記筐体の外部から内部に投入され前記識別部により識別が行われた貨幣を一時的に保留するための一時保留部と、
前記投入部、前記搬送部、前記収納部および前記一時保留部の制御を行う制御部と、
を備え、
前記制御部において、出金すべき貨幣である準備貨幣の所定の貨幣量が設定されており、前記制御部は、前記投入部により前記筐体の外部から内部に貨幣を取り込み、この取り込まれた貨幣を前記一時保留部に送るような入金処理を行った後に、前記準備貨幣の所定の貨幣量分の貨幣を前記収納部から前記投出部に送るような出金処理を自動的に行うよう制御を行うことを特徴とする貨幣処理機。
【請求項２】
前記制御部は、前記出金処理を行った後に、前記一時保留部から前記収納部へ貨幣を送るような収納処理を自動的に行うよう制御を行うことを特徴とする請求項１記載の貨幣処理機。
【請求項３】
前記一時保留部は第１の管理権限下にあり、前記収納部は前記第１の管理権限下とは異なる第２の管理権限下にあり、前記一時保留部から前記収納部へ貨幣を送る際に、この貨幣の管理権限が前記第１の管理権限下から前記第２の管理権限下に移されることを特徴とする請求項２記載の貨幣処理機。
【請求項４】
貨幣を処理する貨幣処理機であって、
筐体と、
前記筐体の外部から内部に貨幣を投入するための投入部と、
前記筐体の内部にある貨幣を外部に投出するための投出部と、
前記筐体の内部に設けられ、前記投入部および前記投出部にそれぞれ接続され、前記筐体内で貨幣を搬送するための搬送部と、
前記搬送部に設けられ、前記投入部により前記筐体の外部から内部に投入された貨幣の識別を行う識別部と、
前記筐体の内部において前記搬送部に接続され、前記搬送部から送られた貨幣を収納するとともに、収納した貨幣を前記搬送部に繰り出す収納部と、
前記投入部、前記搬送部および前記収納部の制御を行う制御部と、
を備え、
前記制御部において、出金すべき貨幣である準備貨幣の所定の貨幣量が設定されており、前記制御部は、前記投入部により前記筐体の外部から内部に貨幣を取り込み、この取り込まれた貨幣を前記収納部に送るような収納処理を行った後に、前記準備貨幣の所定の貨幣量分の貨幣を前記収納部から前記投出部に送るような出金処理を自動的に行うよう制御を行うことを特徴とする貨幣処理機。
【発明の詳細な説明】
【技術分野】
【０００１】
本発明は、筐体の外部から内部に投入された紙幣や硬貨等からなる貨幣を収納する貨幣処理機に関する。なお、本明細書における「貨幣」は紙幣であっても硬貨であってもよい。
【背景技術】
【０００２】
従来から、硬貨や紙幣からなる貨幣を筐体内に収納させる貨幣処理機として、例えば特開２００２−３１２８３３号公報（特許文献１）や特開２００４−１４５６００号公報（特許文献２）等に開示されるものが知られている。このような貨幣処理機は例えば小売店等の店舗内に設置され、その店舗における売上金に係る貨幣が入金されるようになっている。また、店舗等において、営業時間の終了後、次の営業時間において各レジで使用する予定の釣銭用の準備貨幣が貨幣処理機から出金されるようになっている。
【０００３】
特許文献１には、貨幣入出金処理システムにおいて、入出金機が、店舗側が管理する現金を収納し入出金が可能なリサイクル収納部と、現金を収納するカセット収納部とを備えていることが開示されている。より詳細に説明すると、リサイクル収納部は店舗が管理し、カセット収納部は売上金の回収業務を委託された収集業者が管理するようになっている。特許文献１に示す貨幣入出金処理システムにおいて、入出金機に投入された現金はリサイクル収納部に収納されるようになっている。そして、リサイクル収納部からカセット収納部に現金を送ることにより、店舗側から収集業者側に現金が引き渡される。ここで、リサイクル収納部に収納された現金は釣銭用の準備貨幣として管理され、一方、カセット収納部に収納された現金は売上金として管理されるようになっている。
【０００４】
また、特許文献２には、リサイクル式の紙幣入出金機が開示されている。特許文献２におけるリサイクル式の紙幣入出金機において、入金部により筐体の内部に投入された貨幣を識別計数した後、一時保留部にこの貨幣を保留し、操作者に対する確認行為の後に、一時保留部にある貨幣を金庫の中にある複数のスタッカーに金種別に収納する入金処理と、指定された金額または金種毎の枚数の貨幣を出金する出金処理を行うようになっている。ここで、収納部に収納された貨幣は、売上金の回収業務を委託された収集業者の管理下にある。
【先行技術文献】
【特許文献】
【０００５】
【特許文献１】特開２００２−３１２８３３号公報
【特許文献２】特開２００４−１４５６００号公報
【発明の概要】
【発明が解決しようとする課題】
【０００６】
前述のように、店舗等において、営業時間の終了後、各レジから回収された紙幣や硬貨等の貨幣を貨幣処理機で計数するとともに、この貨幣処理機により、次の営業時間において各レジで使用する予定の釣銭用の準備貨幣の作成が行われる。また、売上金に係る貨幣は、売上金の回収業務を委託された収集業者に引き渡される。
【０００７】
ここで、特許文献１や特許文献２に開示される貨幣処理機においては、貨幣の入金処理の終了を待って出金処理の操作を操作者が改めて行っており、あるいは貨幣の出金処理を行ってから入金処理の操作を操作者が改めて行っている。このため、貨幣処理機における１つ目の処理が終了してから２つ目の処理が始まるまで操作者は待つ必要がある。しかしながら、営業時間の終了後等、操作者が多くの業務を短時間で行わなければならない場合においては、このような待ち時間が発生するのは効率が悪いという問題がある。また、貨幣処理機における１つ目の処理の操作を操作者が行った後に他の業務を行い、１つ目の処理の終了後に２つ目の処理を行うことも可能であるが、操作者は貨幣処理機の操作を２度行う必要があるため、貨幣処理機における２つ目の処理の操作を忘れてしまいこの２つ目の処理が行われないまま放置されてしまう場合がある。
【０００８】
また、特許文献２に開示されるリサイクル式の紙幣入出金機においては、一時保留部に一時的に保留した紙幣を金種別のスタッカーに移動させるための時間が必要となるため、紙幣の入金処理に要する時間が更に長くなってしまう。このため、紙幣の入金処理の後に出金処理を行う場合は、その分だけ紙幣の処理時間が長くなってしまうという問題がある。
【０００９】
本発明は、このような点を考慮してなされたものであり、一度の操作で貨幣の入金処理と出金処理の両方を行うことができ、このためこれらの２つの処理の間に発生する操作者の待ち時間を削減することができるとともに操作者が出金処理の操作を忘れてしまい出金処理が行われないままとなってしまうことを防止することができる貨幣処理機を提供することを目的とする。
【課題を解決するための手段】
【００１０】
本発明の貨幣処理機は、貨幣を処理する貨幣処理機であって、筐体と、前記筐体の外部から内部に貨幣を投入するための投入部と、前記筐体の内部にある貨幣を外部に投出するための投出部と、前記筐体の内部に設けられ、前記投入部および前記投出部にそれぞれ接続され、前記筐体内で貨幣を搬送するための搬送部と、前記搬送部に設けられ、前記投入部により前記筐体の外部から内部に投入された貨幣の識別を行う識別部と、前記筐体の内部において前記搬送部に接続され、前記搬送部から送られた貨幣を収納するとともに、収納した貨幣を前記搬送部に繰り出す収納部と、前記筐体の内部において前記搬送部に接続され、前記投入部により前記筐体の外部から内部に投入され前記識別部により識別が行われた貨幣を一時的に保留するための一時保留部と、前記投入部、前記搬送部、前記収納部および前記一時保留部の制御を行う制御部と、を備え、前記制御部において、出金すべき貨幣である準備貨幣の所定の貨幣量が設定されており、前記制御部は、前記投入部により前記筐体の外部から内部に貨幣を取り込み、この取り込まれた貨幣を前記一時保留部に送るような入金処理を行った後に、前記準備貨幣の所定の貨幣量分の貨幣を前記収納部から前記投出部に送るような出金処理を自動的に行うよう制御を行うことを特徴とする。ここで、出金すべき貨幣である準備貨幣の所定の貨幣量とは、所定の金種およびその金種毎の枚数、あるいは所定の合計金額のことをいう。
【００１１】
このような貨幣処理機によれば、制御部において、釣銭用等の出金すべき貨幣である準備貨幣の所定の貨幣量（準備貨幣の所定の金種およびその金種毎の枚数、あるいは所定の合計金額）が設定されており、この制御部は、投入部により筐体の外部から内部に貨幣を取り込み、この取り込まれた貨幣を一時保留部に送るような入金処理を行った後に、準備貨幣の所定の貨幣量分の貨幣を収納部から投出部に送るような出金処理を自動的に行うよう制御を行うようになっている。このように、貨幣の入金処理を行った後、制御部に設定された所定の貨幣量分の貨幣の出金処理を自動的に行うことができるので、操作者は一度の操作で貨幣の入金処理と出金処理の両方を行うことができるようになり、このためこれらの２つの処理の間に発生する操作者の待ち時間を削減することができるとともに操作者が出金処理の操作を忘れてしまい出金処理が行われないままとなってしまうことを防止することができるようになる。
【００１２】
本発明の貨幣処理機においては、前記制御部は、前記出金処理を行った後に、前記一時保留部から前記収納部へ貨幣を送るような収納処理を自動的に行うよう制御を行うことが好ましい。このことにより、投入部により筐体の外部から内部に取り込まれた貨幣を一時保留部に送り、この一時保留部から収納部へ貨幣を送った後に貨幣の出金処理を行う場合と比較して、収納処理よりも先に出金処理を行うようにしたことにより、操作者はより迅速に釣銭用等の準備貨幣を筐体の外部に取り出すことができるようになる。また、この場合、出金処理の後に収納処理が自動的に行われるので、操作者が収納処理の操作を忘れてしまい収納処理が行われないままとなってしまうことを防止することができる。
【００１３】
本発明の貨幣処理機においては、前記一時保留部は第１の管理権限下にあり、前記収納部は前記第１の管理権限下とは異なる第２の管理権限下にあり、前記一時保留部から前記収納部へ貨幣を送る際に、この貨幣の管理権限が前記第１の管理権限下から前記第２の管理権限下に移されることがより好ましい。
【００１４】
本発明の貨幣処理機は、貨幣を処理する貨幣処理機であって、筐体と、前記筐体の外部から内部に貨幣を投入するための投入部と、前記筐体の内部にある貨幣を外部に投出するための投出部と、前記筐体の内部に設けられ、前記投入部および前記投出部にそれぞれ接続され、前記筐体内で貨幣を搬送するための搬送部と、前記搬送部に設けられ、前記投入部により前記筐体の外部から内部に投入された貨幣の識別を行う識別部と、前記筐体の内部において前記搬送部に接続され、前記搬送部から送られた貨幣を収納するとともに、収納した貨幣を前記搬送部に繰り出す収納部と、前記投入部、前記搬送部および前記収納部の制御を行う制御部と、を備え、前記制御部において、出金すべき貨幣である準備貨幣の所定の貨幣量が設定されており、前記制御部は、前記投入部により前記筐体の外部から内部に貨幣を取り込み、この取り込まれた貨幣を前記収納部に送るような収納処理を行った後に、前記準備貨幣の所定の貨幣量分の貨幣を前記収納部から前記投出部に送るような出金処理を自動的に行うよう制御を行うことを特徴とする。ここで、出金すべき貨幣である準備貨幣の所定の貨幣量とは、所定の金種およびその金種毎の枚数、あるいは所定の合計金額のことをいう。
【００１５】
このような貨幣処理機によれば、制御部において、釣銭用等の出金すべき貨幣である準備貨幣の所定の貨幣量（準備貨幣の所定の金種およびその金種毎の枚数、あるいは所定の合計金額）が設定されており、この制御部は、投入部により筐体の外部から内部に貨幣を取り込み、この取り込まれた貨幣を収納部に送るような入金収納処理を行った後に、準備貨幣の所定の貨幣量分の貨幣を収納部から投出部に送るような出金処理を自動的に行うよう制御を行うようになっている。このように、貨幣の入金収納処理を行った後、制御部に設定された所定の貨幣量分の貨幣の出金処理を自動的に行うことができるので、操作者は一度の操作で貨幣の入金収納処理と出金処理の両方を行うことができるようになり、このためこれらの２つの処理の間に発生する操作者の待ち時間を削減することができるとともに操作者が出金処理の操作を忘れてしまい出金処理が行われないままとなってしまうことを防止することができるようになる。
【発明の効果】
【００１６】
本発明の貨幣処理機によれば、一度の操作で貨幣の入金処理と出金処理の両方を行うことができ、このためこれらの２つの処理の間に発生する操作者の待ち時間を削減することができるとともに操作者が出金処理の操作を忘れてしまい出金処理が行われないままとなってしまうことを防止することができる。
【図面の簡単な説明】
【００１７】
【図１】本発明の第１の実施の形態における貨幣処理機の構成を示す斜視図である。
【図２】図１に示す貨幣処理機の筐体の内部の構成を示す概略側面図である。
【図３】図１に示す貨幣処理機の制御ブロック図である。
【図４】本発明の第２の実施の形態における貨幣処理機の構成を示す斜視図である。
【図５】図４に示す貨幣処理機における紙幣処理装置の構成の概略を示す概略構成図である。
【図６】図４に示す貨幣処理機における硬貨処理装置の構成の概略を示す概略構成図である。
【図７】図４に示す貨幣処理機の制御ブロック図である。
【図８】紙幣を収納するための収納部の他の構成を示す側面図である。
【発明を実施するための形態】
【００１８】
〔第１の実施の形態〕
以下、図面を参照して本発明の第１の実施の形態の貨幣処理機について説明する。本実施の形態に係る貨幣処理機は、筐体の外部から内部に取り込まれた紙幣を収納部に収納するとともに、この収納部に収納された紙幣を筐体の内部から外部に投出する紙幣処理機に関するものである。図１乃至図３は、本発明による貨幣処理機の第１の実施の形態を示す図である。このうち、図１は、本実施の形態における貨幣処理機の構成を示す斜視図であり、図２は、図１に示す貨幣処理機の筐体の内部の構成を示す概略側面図であり、図３は、図１に示す貨幣処理機の制御ブロック図である。
【００１９】
図１に、本実施の形態における紙幣処理機１の斜視図を示す。このような紙幣処理機１の概要について図１乃至図３、とりわけ図２を用いて説明する。紙幣処理機１は、略直方体形状の筐体１０と、筐体１０の外部から内部に紙幣を投入するための紙幣投入部１２と、筐体１０の内部にある紙幣を外部に投出するための紙幣投出部１４と、を備えている。筐体１０の内部には、紙幣投入部１２により筐体１０の外部から内部に投入された紙幣を筐体１０内で搬送する搬送部１６が設けられている。また、筐体１０の内部において搬送部１６には一時保留部２０が接続されており、この一時保留部２０は、紙幣投入部１２により筐体１０の外部から内部に投入された紙幣を一時的に保留するようになっている。
【００２０】
また、筐体１０の内部において搬送部１６には複数、具体的には例えば６つの収納部２２が接続されている。各収納部２２は、紙幣投入部１２により筐体１０の外部から内部に投入されて搬送部１６により搬送された紙幣を収納するようになっている。また、各収納部２２は、当該収納部２２に収納された紙幣を搬送部１６に繰り出すことができるようになっている。搬送部１６に繰り出された紙幣は紙幣投出部１４に送られ、操作者がこの紙幣投出部１４に送られた紙幣を取り出すことができるようになっている。図３に示すように、紙幣処理機１には、当該紙幣処理機１における各構成要素を制御するための制御部５０が設けられている。
【００２１】
以下、このような紙幣処理機１における各構成要素について詳述する。
【００２２】
前述のように、紙幣処理機１は略直方体形状の筐体１０を備えている。筐体１０は、左右方向の横幅が狭く、前後方向の奥行きが長いとともに上下方向の高さが高いような縦型に構成されている。
【００２３】
筐体１０の内部には、図２に示すように、上部ユニット１０ｐおよび下部ユニット１０ｑが筐体１０の前面（図２の左側の側面）側からそれぞれ図２の左方向に引き出し可能に設けられている。
【００２４】
上部ユニット１０ｐの上面には、筐体１０の内部からの紙幣の投出を行うための投出口１４ａ、および筐体１０の内部に紙幣を投入するための投入口１２ａがそれぞれ設けられている。また、上部ユニット１０ｐの上面には、紙幣処理機１における紙幣の処理状況等を表示するとともに、操作者が紙幣処理機１の制御部５０に対して様々な指令を行うための表示操作部３４が設けられている。ここで、表示操作部３４は例えばタッチパネルより構成されている。
【００２５】
上部ユニット１０ｐの前面には、この上部ユニット１０ｐを筐体１０に収納した状態で施錠や解錠を行うための、操作者により操作されるユニット錠４０が設けられている。そして、このユニット錠４０の解錠により、上部ユニット１０ｐを筐体１０の内部から図２の左方向に引き出し可能となっている。
【００２６】
筐体１０の前面下部域には扉３０が開閉自在に取り付けられている。そして、この扉３０には、下部ユニット１０ｑを筐体１０の内部に収納して扉３０を閉じた状態で施錠や解錠を行うためのナンバー式のロック機構４６が設けられている。このロック機構４６は、売上金の回収業務を委託された収集業者の収集特定者しか操作できないようになっている。すなわち、このロック機構４６は店舗側の店員では解錠できないようになっている。そして、ロック機構４６により扉３０を解錠して開放することにより、下部ユニット１０ｑを筐体１０の内部から図２の左方向に引き出し可能となっている。また、図１に示すように、扉３０には、当該扉３０の開閉を行うための取手４４が設けられている。
【００２７】
図２に示すように、上部ユニット１０ｐの投出口１４ａおよび投入口１２ａの下部には、それぞれ、紙幣を立位姿勢でかつ長方形の紙幣の短手方向を上下方向として収納するボックス状の紙幣投出部１４および紙幣投入部１２が配置されている。紙幣投出部１４には、紙幣の投出処理中にこの紙幣投出部１４を閉じるとともに紙幣の投出処理の終了後に開くような透明シャッター１４ｃが開閉可能に設けられている。そして、搬送部１６から紙幣投出部１４への紙幣の投出処理中においては、閉じている透明シャッター１４ｃを介して紙幣投出部１４に送られる紙幣を視認することができるようになっている。
【００２８】
紙幣投入部１２は、投入口１２ａから当該紙幣投入部１２に投入された紙幣を立位姿勢で受け入れるトレイ（図示せず）と、紙幣の投入処理の開始時に移動するトレイで押し付けられる紙幣を１枚ずつ下方へ蹴り出すキッカローラ１２ｄとが設けられている。また、紙幣投入部１２には、キッカローラ１２ｄで下方へ蹴り出される紙幣を挟持して搬送部１６へ紙幣を１枚ずつ送り込むフィードローラ１２ｂおよびゲートローラ１２ｃがそれぞれ配設されている。
【００２９】
紙幣投出部１４には、搬送部１６から搬送された紙幣を立位姿勢で紙幣投出部１４内に１枚ずつ繰り込むための札叩き用羽根車１４ｂが設けられている。また、紙幣投出部１４には、札叩き用羽根車１４ｂにより当該紙幣投出部１４内に繰り込まれる紙幣を立位姿勢で受け入れるためのトレイ（図示せず）が設けられている。このトレイは、紙幣を受け入れる位置を一定にして紙幣の立位姿勢を保ちながら前方へ整列集積するために、受け入れた紙幣量に応じて移動するようになっている。
【００３０】
図２に示すように、上部ユニット１０ｐには一時保留部２０が設けられている。この一時保留部２０は、紙幣投入部１２により筐体１０の外部から内部に投入され搬送部１６により搬送された紙幣を金種混合状態で一括して一時的に保留する機能を有している。より具体的には、一時保留部２０には搬送部１６から紙幣が１枚ずつ送られるようになっており、この送られた紙幣を一括して積層状態で一時的に保留するようになっている。そして、一時保留部２０は、この一時保留部２０で一時的に保留された紙幣を、搬送部１６に一枚ずつ繰り出すこともできるようになっている。
【００３１】
図２に示すように、一時保留部２０には、当該一時保留部２０に収納された積層状態の紙幣を上側から順に１枚ずつ搬送部１６に向かって蹴り出すキッカローラ２０ｃが設けられている。また、一時保留部２０には、キッカローラ２０ｃで蹴り出される紙幣を挟持して搬送部１６へこの紙幣を１枚ずつ送り込むフィードローラ２０ａおよびゲートローラ２０ｂがそれぞれ配設されている。
【００３２】
また、一時保留部２０には、当該一時保留部２０に紙幣が投入されたときにこのことを検知する紙幣投入検知センサ２０ｄが設けられている。紙幣投入検知センサ２０ｄにより一時保留部２０に紙幣が投入されたことが検知されたときには、この検知情報が制御部５０に送られるようになっている。
【００３３】
また、筐体１０の内部には、当該筐体１０内で紙幣の搬送を行う搬送部１６が設けられている。この搬送部１６は、紙幣投入部１２から搬送部１６に繰り出された紙幣を１枚ずつ搬送路に沿って搬送し、一時保留部２０や収納部２２、リジェクトボックス２４等に送るようになっている。また、搬送部１６は、一時保留部２０に一時的に保留された紙幣を紙幣投出部１４や収納部２２等に１枚ずつ送るようになっている。さらに、搬送部１６は、収納部２２に収納された紙幣を紙幣投出部１４等に１枚ずつ送るようになっている。搬送部１６は、例えば循環ベルト機構が組み合わされたものからなり、搬送路における紙幣の搬送方向を正逆に反転させることができるようになっている。
【００３４】
図２に示すように、搬送部１６における搬送路の分岐箇所には分岐部材２６が設けられており、この分岐部材２６により紙幣の搬送経路が切り換えられるようになっている。この分岐部材２６による紙幣の搬送経路の切り換えは、後述する制御部５０により制御されるようになっている。
【００３５】
また、図２に示すように、搬送部１６における搬送路には識別部１８が介設されている。この識別部１８は、例えば紙幣投入部１２から搬送部１６に１枚ずつ繰り出された紙幣の金種、真偽、正損等を１枚ずつ識別するようになっている。識別部１８による紙幣の識別結果は、後述する制御部５０に送られるようになっている。
【００３６】
図２に示すように、下部ユニット１０ｑには、筐体１０の前側域に、リジェクト紙幣を収納するリジェクトボックス２４が固定的に配置されている。このリジェクトボックス２４の後部域には、例えば金種別に紙幣を収納する複数の（例えば６つの）収納部２２が前後方向に並んで固定的に配置されている。これらのリジェクトボックス２４および各収納部２２はそれぞれ搬送部１６に接続されている。
【００３７】
各収納部２２には、紙幣が集積される集積台２２ａが昇降自在に設けられており、この集積台２２ａ上に紙幣が積層状態で集積されるようになっている。
【００３８】
図２に示すように、各収納部２２には、紙幣を当該収納部２２に収納する際に搬送部１６からの紙幣を集積台２２ａ上に繰り込む繰込ローラ２２ｂ、２２ｃと、この収納部２２に収納された紙幣を当該収納部２２から繰り出す際に集積台２２ａ上の紙幣を１枚ずつ蹴り出すキッカローラ２２ｄと、このキッカローラ２２ｄにより蹴り出された紙幣を搬送部１６に繰り出すフィードローラ２２ｅおよびゲートローラ２２ｆとを備えている。そして、各収納部２２に紙幣を収納する際に、集積台２２ａ上に紙幣を集積収納する毎に紙幣の上面高さが高くなるため、集積台２２ａを順次下降させる。また、収納部２２に収納された紙幣を当該収納部２２から繰り出す際には、集積台２２ａを上昇させて紙幣をキッカローラ２２ｄに押し付け、キッカローラ２２ｄの回転により紙幣を１枚ずつフィードローラ２２ｅおよびゲートローラ２２ｆに向かって蹴り出す。
【００３９】
リジェクトボックス２４は、識別部１８により正常な紙幣ではないと識別された紙幣や識別部１８により識別することができなかった紙幣がリジェクト紙幣として搬送部１６から送られるようになっており、このリジェクト紙幣はリジェクトボックス２４内で金種混合状態にて集積される。
【００４０】
図３に示すように、制御部５０は、紙幣処理機１の各構成要素、具体的には、紙幣投入部１２、紙幣投出部１４、搬送部１６、識別部１８、一時保留部２０、各収納部２２、分岐部材２６、紙幣投入検知センサ２０ｄ、表示操作部３４にそれぞれ接続されている。制御部５０は、識別部１８から当該識別部１８による紙幣の識別結果に係る情報が送られるようになっている。また、操作者が表示操作部３４により制御部５０に対して様々な指令を送ることができるようになっている。また、制御部５０は、紙幣投入部１２、紙幣投出部１４、搬送部１６、一時保留部２０、各収納部２２、分岐部材２６、および表示操作部３４の各々の制御を行うようになっている。制御部５０による各構成要素の制御方法については後述する。
【００４１】
また、図３に示すように、制御部５０にはインターフェース５２が接続されており、このインターフェース５２は上位装置に接続されている。このことにより、制御部５０は上位装置に対して信号の送受信を行うことができる。
【００４２】
次に、上述のような構成からなる紙幣処理機１の動作について以下に説明する。以下に説明する紙幣処理機１の動作は、制御部５０が紙幣処理機１の各構成要素を制御することにより行われる。
【００４３】
まず、操作者は、表示操作部３４により、制御部５０に対して紙幣の処理モードを入金出金連動モードとするよう指令を行う。より具体的には、操作者が表示操作部３４により入金処理モードを選択すると、表示操作部３４における入金処理モード時の表示において「釣銭出金」キーが表示される。そして、操作者がこの入金処理モード時の表示において「釣銭出金」キーを押下することにより、入金出金連動モードが選択されることとなる。なお、表示操作部３４における前述の入金処理モード時の表示において、「取引確定・終了」キーも表示されており、「釣銭出金」キーおよび「取引確定・終了」キーは表示操作部３４における同一の画面上に表示されるようになっている。あるいは、操作者が表示操作部３４により出金処理モードを選択すると、表示操作部３４における出金処理モード時の表示において「入金」キーが表示される。そして、操作者がこの出金処理モード時の表示において「入金」キーを押下することにより、入金出金連動モードが選択されることとなる。なお、当然のことながら、操作者は、制御部５０に対して入金出金連動モード以外の処理方法、具体的には例えば入金処理のみを行わせるような指令を送ることもできる。
【００４４】
制御部５０において、紙幣の処理モードを入金出金連動モードとすることが設定された場合、操作者は、釣銭用等の出金すべき貨幣である準備貨幣について、表示操作部３４により準備貨幣の貨幣量（具体的には、準備貨幣の金種およびその金種毎の枚数、あるいは合計金額）を入力する。これらの入力内容は制御部５０に設定される。なお、準備貨幣の貨幣量は、以前から制御部５０において予め設定されており、操作者が紙幣処理機１の操作を行う度に表示操作部３４により準備貨幣の貨幣量を入力しなくてもいいようになっていてもよい。また、操作者が表示操作部３４により制御部５０に対して様々な指令を行う代わりに、上位装置からインターフェース５２を介して制御部５０に対して上述のような指令が行われるようになっていてもよい。
【００４５】
その後、操作者は、投入口１２ａを介して、金種が混合した状態で紙幣を紙幣投入部１２に投入する。紙幣投入部１２に投入された紙幣は１枚ずつ搬送部１６に繰り出され、搬送部１６により識別部１８に送られる。そして、識別部１８により紙幣の金種、真偽、正損等の識別が１枚ずつ行われる。識別部１８により識別が行われた紙幣のうち、正常な紙幣は一時保留部２０に送られてこの一時保留部２０で一時的に保留される。一方、識別部１８により識別を行うことができなかった紙幣や、識別により正常ではないと判断された紙幣はリジェクト紙幣として紙幣投出部１４に送られる。なお、このような紙幣の入金処理中において透明シャッター１４ｃは閉じている。そして、紙幣投入部１２から一時保留部２０または紙幣投出部１４への紙幣の搬送が終了すると、透明シャッター１４ｃが自動的に開き、操作者は紙幣投出部１４にあるリジェクト紙幣を取り出し、場合によっては紙幣投入部１２にこの紙幣を再投入することとなる。
【００４６】
また、紙幣投入部１２から一時保留部２０または紙幣投出部１４への紙幣の搬送が終了すると、自動的に、制御部５０に設定された準備貨幣の金種毎の枚数分だけ、あるいは合計金額分だけ、搬送部１６により各収納部２２から紙幣投出部１４に紙幣が送られる。より詳細には、各収納部２２に収納された紙幣は１枚ずつ搬送部１６に繰り出され、搬送部１６により１枚ずつ搬送されるが、この搬送部１６に繰り出された紙幣は識別部１８を通り、この識別部１８により正常と判断された紙幣は紙幣投出部１４に送られ、正常でないと判断された紙幣はリジェクトボックス２４に送られることとなる。このような紙幣の出金処理中において透明シャッター１４ｃは閉じている。そして、各収納部２２から紙幣投出部１４またはリジェクトボックス２４への紙幣の搬送が終了すると、透明シャッター１４ｃが自動的に開き、操作者は紙幣投出部１４にある紙幣を釣銭用等の準備貨幣として取り出すことができるようになる。
【００４７】
なお、上述のような紙幣の出金処理において、表示操作部３４には、各収納部２２から紙幣投出部１４に送られた釣銭用等の準備貨幣としての紙幣の金種毎の枚数、および／または合計金額がカウントアップ（加算表示）式で表示されるようになっている。あるいは、表示操作部３４には、予め制御部５０に設定された準備貨幣の所定の金種毎の枚数、および／または所定の合計金額がまず表示されており、この所定の金種毎の枚数または合計金額から、実際に各収納部２２から紙幣投出部１４に送られた紙幣の枚数または金額を減算して表示するようなカウントダウン（減算表示）式で紙幣の金種毎の枚数、および／または合計金額が表示されるようになっていてもよい。この場合、ある金種において、実際に各収納部２２から紙幣投出部１４に送られた紙幣の枚数が、予め制御部５０に設定された準備貨幣の所定の枚数に満たないときには、あるいは、実際に各収納部２２から紙幣投出部１４に送られた紙幣の合計金額が、予め制御部５０に設定された準備貨幣の所定の合計金額に満たないときには、このことが表示操作部３４に表示されることとなる。
【００４８】
また、ある金種について、当該金種に対応する収納部２２の紙幣の収納枚数が、予め制御部５０に設定された準備貨幣の所定の枚数に対して不足している場合には、他の収納部２２に収納された下位の金種の紙幣を代替させることができる。すなわち、例えば五千円札を収納する収納部２２における五千円札の実際の収納枚数が、予め制御部５０に設定された準備貨幣の所定の枚数に対して不足している場合には、千円札を収納する他の収納部２２における千円札を準備貨幣として五千円札の代わりに紙幣投出部１４に搬送することにより、紙幣投出部１４における準備貨幣の合計金額が不足しないようにする。なお、このような準備貨幣に関する不足紙幣の代替については、代替を行うか否かを表示操作部３４により予め設定することができるようになっている。
【００４９】
また、各収納部２２から紙幣投出部１４またはリジェクトボックス２４への紙幣の搬送が終了すると、自動的に、一時保留部２０で一時的に保留された紙幣は１枚ずつ搬送部１６に繰り出され、識別部１８により再び識別が行われ、金種別に各収納部２２に収納される。ここで、一時保留部２０は店舗側に管理権限（第１の管理権限）があり、各収納部２２は収集特定者側に管理権限（第２の管理権限）があるので、上述のような紙幣の収納処理により、この紙幣の管理権限が店舗側から収集特定者側に移されることとなる。
【００５０】
以上のように本実施の形態の紙幣処理機１によれば、制御部５０において、釣銭用等の出金すべき貨幣である準備貨幣の所定の貨幣量（準備貨幣の所定の金種およびその金種毎の枚数、あるいは所定の合計金額）が設定されており、この制御部５０は、紙幣投入部１２により筐体１０の外部から内部に紙幣を取り込み、この取り込まれた紙幣を一時保留部２０に送るような入金処理を行った後に、出金すべき準備貨幣として設定された所定の貨幣量分の紙幣を各収納部２２から紙幣投出部１４に送るような出金処理を自動的に行うよう制御を行うようになっている。このように、紙幣の入金処理を行った後、制御部５０に設定された所定の貨幣量分の紙幣の出金処理を自動的に行うことができるので、操作者は表示操作部３４における一度の操作で紙幣の入金処理と出金処理の両方を行うことができるようになり、このためこれらの２つの処理の間に発生する操作者の待ち時間を削減することができるとともに操作者が出金処理の操作を忘れてしまい出金処理が行われないままとなってしまうことを防止することができるようになる。
【００５１】
また、制御部５０は、出金処理を行った後に、一時保留部２０から各収納部２２へ紙幣を送るような収納処理（引渡処理）を自動的に行うよう制御を行うようになっている。このため、紙幣投入部１２により筐体１０の外部から内部に取り込まれた紙幣を一時保留部２０に送り、この一時保留部２０から各収納部２２へ紙幣を送った後に紙幣の出金処理を行う場合と比較して、収納処理よりも先に出金処理を行うようにしたことにより、操作者はより迅速に釣銭用等の準備貨幣を筐体１０の外部に取り出すことができるようになる。また、この場合、出金処理の後に収納処理が自動的に行われるので、操作者が収納処理の操作を忘れてしまい収納処理が行われないままとなってしまうことを防止することができる。また、上述のような収納処理（引渡処理）が行われる際に、紙幣の管理権限が店舗側から収集特定者側に移されることとなる。
【００５２】
なお、本実施の形態による貨幣処理機は、上記の態様に限定されるものではなく、様々の変更を加えることができる。例えば、本実施の形態による貨幣処理機は、紙幣の処理を行うものに限定されることはなく、硬貨の処理を行うようになっていてもよい。この場合、筐体の内部には、投入部により筐体の外部から内部に投入され識別部により識別が行われた硬貨を一時的に保留するための一時保留部が設けられることとなる。
【００５３】
また、制御部５０において準備貨幣の貨幣量（準備貨幣の金種およびその金種毎の枚数、あるいは合計金額）が以前から予め設定されている場合において、制御部５０に対して紙幣の処理モードを入金出金連動モードとするよう指令を行う際に、ある金種について、当該金種に対応する収納部２２の紙幣の収納枚数が、予め制御部５０に設定されている準備貨幣の所定の枚数に対して不足しているときには、あるいは、収納部２２に収納されている紙幣の合計金額が、予め制御部５０に設定されている準備貨幣の所定の合計金額に対して不足しているときには、「釣銭出金」キーが表示されないようになっていてもよい。
【００５４】
また、制御部５０において、紙幣の入金処理の際に出金処理を必ず連動させるような設定が行われていてもよい。この場合には、操作者が表示操作部３４により入金処理モードを選択しても、表示操作部３４における入金処理モード時の表示において、「釣銭」キーを押下した後でなければ「取引確定・終了」キーが表示されないようになっている。この場合、紙幣の入金処理およびそれに引き続く出金処理が行われた後に、操作者が「取引確定・終了」キーを押下することにより入金処理および出金処理の取引が確定するとともに一連の処理が終了することとなる。
【００５５】
また、紙幣の収納を行うための収納部としては、図２等に示すような、集積台上に紙幣が積層状態で集積されるようなタイプのものに限定されることはなく、図８に示すようなタイプのものを用いてもよい。図８に示す収納部２３は、正逆両方向に回転可能なドラム２３ａおよび一対のテープ２３ｂ、２３ｃを有し、紙幣が一対のテープ２３ｂ、２３ｃの間に挟まれた状態でこの一対のテープ２３ｂ、２３ｃごとドラム２３ａにより巻き取られるような構成となっている。
【００５６】
図８を用いて収納部２３の詳細について説明する。収納部２３は、搬送部１６から送られた紙幣を１枚ずつ順次巻き取って収納するとともにこの巻き取られた紙幣を１枚ずつ順次巻き戻して搬送部１６に放出するよう構成されている。このような収納部２２には、紙幣の巻き取りを行うためのドラム２３ａが設けられている。このドラム２３ａには一対のテープ２３ｂ、２３ｃが巻き取られるようになっており、紙幣はこの一対のテープ２３ｂ、２３ｃの間に挟まれた状態で１枚ずつ順次ドラム２３ａに巻き取られるようになっている。
【００５７】
ドラム２３ａは、図８の紙面に直交する軸を中心として図８の時計回りおよび反時計回りの両方向に回転するようになっている。このドラム２３ａの外周面には、テープ２３ｂ、２３ｃの一端がそれぞれ同じ箇所で取り付けられており、ドラム２３ａが図８の反時計回りに回転することによりこれらのテープ２３ｂ、２３ｃがドラム２３ａに巻き取られるようになっている。このドラム２３ａの駆動は制御部５０により制御されるようになっている。
【００５８】
また、図８に示すように、収納部２３には、各テープ２３ｂ、２３ｃの他端が接続されこれらのテープ２３ｂ、２３ｃをそれぞれ巻き取るような巻取ローラ２３ｄ、２３ｅが設置されている。すなわち、各テープ２３ｂ、２３ｃは、それぞれ、一端がドラム２３ａに巻き取られるとともに他端が巻取ローラ２３ｄ、２３ｅに巻き取られるようになっている。この巻取ローラ２３ｄ、２３ｅの駆動は制御部５０により制御されるようになっている。また、収納部２３の筐体の上面には、紙幣を通過させるための開口部２３ｆが設けられている。そして、図８に示すように、搬送部１６から開口部２３ｆを介して収納部２３に送られた紙幣は、一対のテープ２３ｂ、２３ｃの間に挟持され、ドラム２３ａが図８の反時計回りに回転することによりこの紙幣は一対のテープ２３ｂ、２３ｃごとドラム２３ａに一枚ずつ巻き取られるようになっている。
【００５９】
また、収納部２３の筐体の側面には、この筐体の外部からテープ２３ｂの観察を行うための開口部２３ｇが設けられている。また、テープ２３ｂには、複数の色が以下のように付けられている。すなわち、収納部２３に収納される紙幣の枚数がゼロであるようなエンプティ状態のときには、開口部２３ｆや開口部２３ｇから見たテープ２３ｂの色は赤色となるよう、また、収納部２３に収納される紙幣がわずかな枚数であるようなニアエンプティ状態のときには、開口部２３ｆや開口部２３ｇから見たテープ２３ｂの色は点線の赤色となるよう、テープ２３ｂに色が付けられている。また、収納部２３に収納される紙幣が満杯であるようなフル状態のときには、開口部２３ｆや開口部２３ｇから見たテープ２３ｂの色は青色となるよう、また、収納部２３に収納される紙幣がほぼ満杯であるようなニアフル状態のときには、開口部２３ｆや開口部２３ｇから見たテープ２３ｂの色は点線の青色となるよう、また、収納部２３に収納される紙幣が上記の状態以外の状態のときには、開口部２３ｆや開口部２３ｇから見たテープ２３ｂの色は黄色となるよう、テープ２３ｂに色が付けられている。
【００６０】
収納部２３のテープ２３ｂにおいて上述のような色分けがなされているとともに、収納部２３の筐体にテープ２３ｂを観察するための開口部２３ｆや開口部２３が設けられていることにより、収納部２３の開閉を行わずとも、この収納部２３における紙幣の収納状態、具体的にはエンプティ状態やフル状態等を収納部２３の筐体の外部から操作者が目視により確認することができるようになる。
【００６１】
また、紙幣投入部１２と紙幣投出部１４とが別々に設けられる代わりに、紙幣投入部１２と紙幣投出部１４が一体となっていてもよい。
【００６２】
〔第２の実施の形態〕
以下、図面を参照して本発明の第２の実施の形態の貨幣処理機について説明する。本実施の形態に係る貨幣処理機は、筐体の外部から内部に取り込まれた紙幣や硬貨等からなる貨幣を貨幣収納部に収納する貨幣処理機に関するものである。図４乃至図７は、本発明による貨幣処理機の第２の実施の形態を示す図である。このうち、図４は、本実施の形態における貨幣処理機の構成を示す斜視図であり、図５は、図４に示す貨幣処理機における紙幣処理装置の構成の概略を示す概略構成図である。また、図６は、図４に示す貨幣処理機における硬貨処理装置の構成の概略を示す概略構成図であり、図７は、図４に示す貨幣処理機の制御ブロック図である。
【００６３】
図４に示すように、貨幣処理機６０は略直方体形状の筐体６１を備えており、この筐体６１には、貨幣処理機６０を前方から見て上部右側に配置された紙幣処理装置７０と、貨幣処理機６０を前方から見て上部左側に配置された硬貨処理装置８０とがそれぞれ設けられている。また、貨幣処理機６０の筐体６１において、紙幣処理装置７０および硬貨処理装置８０の下方には、硬貨および紙幣の収納を行う貨幣収納部９０が設けられている。ここで、貨幣処理機６０のうち、紙幣処理装置７０および硬貨処理装置８０は店舗側の管理権限下（第１の管理権限下）にあり、貨幣収納部９０は収集特定者側の管理権限下（第２の管理権限下）にある。
【００６４】
以下、紙幣処理装置７０、硬貨処理装置８０および貨幣収納部９０の各構成要素について説明する。
【００６５】
まず、紙幣処理装置７０の構成について図４および図５を用いて説明する。図４および図５に示すように、紙幣処理装置７０は、当該紙幣処理装置７０内への紙幣の取り込みを行う紙幣投入口７１と、紙幣処理装置７０内に取り込まれた紙幣のうち偽札や識別不能な紙幣等のリジェクトを行う紙幣リジェクト口７２と、紙幣処理装置７０内に取り込まれた紙幣のうち貨幣収納部９０に収納されない紙幣を紙幣処理装置７０の外部に返却する紙幣返却口７３とを備えている。また、図５に示すように、紙幣処理装置７０の内部には、紙幣投入口７１に投入された紙幣を紙幣処理装置７０内で搬送する搬送部７５が設けられている。
【００６６】
紙幣投入口７１は、操作者により１または束状態の複数の紙幣が短手方向に一括して投入されるよう構成されている。図４に示すように、この紙幣投入口７１には紙幣ステージ７８が配設されている。紙幣ステージ７８は、待機時には上昇位置にありこの際には操作者は紙幣投入口７１に紙幣を投入することができず、一方、紙幣の処理時には下降して操作者が紙幣投入口７１に紙幣を投入することができるように構成されている。また、図５に示すように、紙幣投入口７１は搬送部７５に接続されており、紙幣投入口７１に投入された１または束状態の複数の紙幣は、１枚ずつ搬送部７５で搬送されるようになっている。また、紙幣リジェクト口７２は、図５に示すように搬送部７５に接続されており、紙幣投入口７１により紙幣処理装置７０内に取り込まれた紙幣のうち後述する識別部７６によりリジェクトすべき紙幣であると識別された紙幣や識別部７６で識別することができなかった紙幣が搬送部７５から送られるようになっている。操作者はこの紙幣リジェクト口７２に送られた紙幣を取り出すことができるようになっている。
【００６７】
紙幣返却口７３には、図５に示すように、搬送部７５に接続された紙幣保留部７９が設けられている。この紙幣保留部７９には、搬送部７５から紙幣が送られるようになっている。また、紙幣返却口７３には開閉可能な扉７４が設けられている。紙幣保留部７９にある紙幣を返却する場合には、紙幣保留部７９の装置前面側の壁面が開いて、操作者は扉７４から紙幣を取り出すことができるようになっている。扉７４は、紙幣の取り出しが可能な状態になれば、自動的に開くようになっている。なお、後述のように、紙幣保留部７９内に保留された紙幣は、操作者により紙幣返却口７３から取り出される代わりに、貨幣収納部９０内に配置された紙幣収納カセット９１（後述）に送られる場合もある。
【００６８】
搬送部７５は、紙幣処理装置７０の内部で紙幣を１枚ずつ順次搬送する機能を有している。具体的には、搬送部７５において、紙幣は一対のベルト間に挟まれて搬送路に沿って搬送されるようになっている。また、図５に示すように、搬送部７５に設けられた搬送路は様々な箇所で分岐するようになっており、この搬送路が分岐する箇所には分岐部材（図示せず）が設けられている。各分岐部材は例えば分岐爪からなり、これらの分岐部材はそれぞれ後述する制御部６５により制御されるようになっている。また、搬送部７５には、当該搬送部７５で搬送される紙幣の識別を１枚ずつ行う識別部７６が介設されている。この識別部７６は、搬送部７５で搬送される紙幣の金種、真偽、正損等を識別するようになっている。識別部７６による紙幣の識別結果は後述する制御部６５に送られるようになっている。
【００６９】
紙幣処理装置７０の内部には、リサイクル式紙幣収納部７７が複数（例えば３つ）並列に設けられている。ここで、複数のリサイクル式紙幣収納部７７ａ〜７７ｃは、概して金種別に紙幣を一時的に収納するようになっている。図５に示すように、各リサイクル式紙幣収納部７７は、正逆両方向に回転可能なドラム７７ｐをそれぞれ有しており、各ドラム７７ｐに一対のテープが巻き取られるようになっている。搬送部７５から各リサイクル式紙幣収納部７７に送られた紙幣は、この一対のテープの間に挟まれた状態で１枚ずつ順次ドラム７７ｐにより巻き取られるようになっている。
【００７０】
紙幣保留部７９は、前述のように紙幣返却口７３に設けられており、図５に示すように搬送部７５に接続されている。この紙幣保留部７９には、紙幣投入口７１に投入された紙幣や、各リサイクル式紙幣収納部７７に収納された紙幣が搬送部７５により送られるようになっており、搬送部７５から送られた紙幣を束状態で保留することができるようになっている。ここで、紙幣保留部７９にある紙幣を返却する場合には、前述のように、紙幣保留部７９の装置前面側の壁面が開いて、操作者は扉７４から紙幣を取り出すことができるようになっている。扉７４は、紙幣の取り出しが可能な状態になれば、自動的に開くようになっている。また、紙幣保留部７９に紙幣が保留される際に、紙幣は一時保留板に載せられるようになっており、紙幣保留部７９にある紙幣を紙幣収納カセット９１に収納させる際には、この紙幣収納カセット９１に設けられたステージが紙幣保留部７９の一時保留板に載せられた紙幣を迎えにいき、紙幣をステージ上に載せて紙幣保留部７９から紙幣収納カセット９１へ下降し、そしてステージ上の紙幣を上から押さえ部材で押さえて紙幣収納カセット９１へ収納するようになっている。
【００７１】
次に、硬貨処理装置８０の構成について図４および図６を用いて説明する。図４および図６に示すように、硬貨処理装置８０は、当該硬貨処理装置８０内への硬貨の取り込みを行う硬貨投入口８１と、硬貨処理装置８０内に取り込まれた硬貨のうち後述する識別部８５ａにより識別不能な硬貨等のリジェクトを行ったり、硬貨処理装置８０内に取り込まれた硬貨のうち貨幣収納部９０に収納されない硬貨を硬貨処理装置８０の外部に返却したりする硬貨返却口８２とを備えている。また、図６に示すように、硬貨処理装置８０の内部には、硬貨投入口８１に投入された硬貨を硬貨処理装置８０内で搬送する搬送部８５が設けられている。
【００７２】
硬貨投入口８１は、操作者により１または複数の硬貨が一括して投入されるよう構成されている。この硬貨投入口８１に投入された硬貨は、硬貨処理装置８０の内部に送られるようになっている。硬貨返却口８２は、搬送部８５の下流側端部に接続されており、この搬送部８５から送られた硬貨を貯留するようになっている。操作者はこの硬貨返却口８２に貯留された硬貨を取り出すことができるようになっている。ここで、硬貨返却口８２には、前述のように、硬貨処理装置８０内に取り込まれた硬貨のうち後述する識別部８５ａにより識別不能な硬貨等が送られるとともに、硬貨処理装置８０内に取り込まれた硬貨のうち貨幣収納部９０に収納されない硬貨が送られるようになっており、このような硬貨が硬貨返却口８２により硬貨処理装置８０の外部に返却されるようになっている。
【００７３】
図６に示すように、硬貨処理装置８０の内部には硬貨繰出部８３が設けられている。この硬貨繰出部８３は硬貨投入口８１に連通しており、操作者により硬貨投入口８１から投入された硬貨を一時的に貯留するとともに、この貯留された硬貨を後述する搬送部８５に繰り出すようになっている。
【００７４】
搬送部８５は、硬貨処理装置８０の内部で硬貨を１枚ずつ順次搬送する機能を有している。図６に示すように、搬送部８５の上流側端部および下流側端部は、硬貨繰出部８３および硬貨返却口８２にそれぞれ接続されている。また、搬送部８５には、当該搬送部８５で搬送される硬貨の識別を１枚ずつ行う識別部８５ａが介設されている。この識別部８５ａは、搬送部８５で搬送される硬貨の金種や真偽等を識別するようになっている。識別部８５ａによる紙幣の識別結果は後述する制御部６５に送られるようになっている。
【００７５】
硬貨処理装置８０の内部には、筒状の上入れ上出しタイプのリサイクル式硬貨収納部８４が複数（例えば６つ）並列に設けられており、各リサイクル式硬貨収納部８４はそれぞれ鉛直方向に延びるようになっている。ここで、複数のリサイクル式硬貨収納部８４ａ〜８４ｆは、概して金種別に硬貨を積層状態で一時的に収納するようになっている。
【００７６】
図６に示すように、搬送部８５の途中部分には、硬貨繰出部８３から下流側に向かって順に、間隔をおいて７つの選別孔８６が設けられている。ここで、７つの選別孔８６のうち最も上流側にある選別孔８６（オーバーフロー用の選別孔８６）は、搬送部８５から後述する横方向搬送部８８に直接硬貨を送るために設けられている。具体的には、最も上流側にある選別孔８６は、識別部８５ａによる硬貨の識別結果が所定の条件を満たしたときに（例えば、識別部８５ａにより識別された硬貨の金種に対応するリサイクル式硬貨収納部８４が満杯であったときに）、この硬貨を横方向搬送部８８上に送るようになっている。また、上流側から２番目〜７番目の選別孔８６は、それぞれ各リサイクル式硬貨収納部８４ａ〜８４ｆに対応するものである。
【００７７】
図６に示すように、鉛直方向にそれぞれ延びる各リサイクル式硬貨収納部８４の上部には、硬貨を一時的に保留する金種別硬貨一時保留部８９が設けられている。７つの選別孔８６のうち最も上流側にある選別孔８６以外の各選別孔８６を介して搬送部８５から落下した硬貨は、まず金種別硬貨一時保留部８９により一時的に保留されるようになっている。そして、この金種別硬貨一時保留部８９に保留された硬貨が各リサイクル式硬貨収納部８４に収納されるようになっている。また、この金種別硬貨一時保留部８９は投出部材を有しており、この投出部材により、金種別硬貨一時保留部８９に保留された硬貨を後述する横方向搬送部８８上に投げ出すこともできるようになっている。一方、各リサイクル式硬貨収納部８４内に収納された硬貨がこのリサイクル式硬貨収納部８４から取り出される場合には、まずリサイクル式硬貨収納部８４の下部に設けられたステージ（図示せず）が上方に持ち上げられ、ステージ上の硬貨が金種別硬貨一時保留部８９に送られ、そしてこの硬貨は金種別硬貨一時保留部８９の投出部材により横方向搬送部８８上に投げ出されるようになっている。
【００７８】
図６に示すように、硬貨処理装置８０の内部には硬貨保留部８７ａが設けられており、この硬貨保留部８７ａの上部にはシュート８７ｂが設置されている。ここで、後述する横方向搬送部８８からシュート８７ｂの上部に送られた硬貨は、当該シュート８７ｂ内を通過して硬貨保留部８７ａに送られるようになっている。硬貨保留部８７ａに一時的に保留された硬貨は、貨幣収納部９０内に配置された硬貨収納カセット９２（後述）に送られるようになっている。
【００７９】
図６に示すように、硬貨処理装置８０の内部において、鉛直方向にそれぞれ延びる各リサイクル式硬貨収納部８４の近傍には、例えば略水平方向に延びる循環ベルト８８ａを有する横方向搬送部８８が設けられている。循環ベルト８８ａは図６の時計回りおよび反時計回りの両方に循環移動可能となっている。また、横方向搬送部８８の一端は硬貨繰出部８３内に位置しており、横方向搬送部８８の他端はシュート８７ｂの上部の近傍に位置している。ここで、循環ベルト８８ａが図６における反時計回りに回転したときには、横方向搬送部８８上にある硬貨は硬貨繰出部８３に送られるようになっている。一方、循環ベルト８８ａが図６における時計回りに回転したときには、横方向搬送部８８上にある硬貨はシュート８７ｂに送られ、最終的には硬貨保留部８７ａで保留されることとなる。
【００８０】
次に、貨幣収納部９０の構成について図４を用いて説明する。図４に示すように、貨幣収納部９０は、貨幣処理機６０の筐体６１の下部に設けられている。この貨幣収納部９０は、図５および図６に示すように、紙幣を収納する紙幣収納カセット９１、および硬貨を収納する硬貨収納カセット９２を有している。紙幣収納カセット９１には、紙幣処理装置７０の紙幣保留部７９に保留された紙幣が収納されるようになっている（図５参照）。硬貨収納カセット９２には、硬貨処理装置８０の硬貨保留部８７ａに保留された硬貨が収納されるようになっている（図６参照）。そして、例えば売上金の回収業務を委託された収集業者の収集特定者によって、貨幣収納部９０の各カセット９１、９２が筐体６１の前面側へ引き出され、この収集特定者が各カセット９１、９２自体を回収するようになっている。
【００８１】
ここで、前述のように、紙幣処理装置７０や硬貨処理装置８０は店舗側に管理権限（第１の管理権限）がある。一方、貨幣収納部９０は収集特定者側に管理権限（第２の管理権限）がある。このため、紙幣処理装置７０におけるリサイクル式紙幣収納部７７や、硬貨処理装置８０におけるリサイクル式硬貨収納部８４にある紙幣や硬貨に対する様々な処理や、この紙幣や硬貨の入出金情報や在高データへのアクセスは店舗側の権限のある操作者のみが行うことができる。一方、貨幣収納部９０にある紙幣や硬貨の回収は収集業者の収集特定者のみが行うことができる。
【００８２】
次に、貨幣処理機６０に設けられた他の様々な機構について説明する。図４に示すように、貨幣処理機６０の筐体６１の上面には、操作者が貨幣処理機６０の制御部６５（後述）に対して様々な指令を行うための操作部９５、および貨幣処理機６０における貨幣の処理状況等を表示する表示部９４が設けられている。ここで、操作部９５は、例えばテンキーや確定キー、スタートキー、取消キーならびにリセットキーを有しており、操作者が各キーを押すことにより貨幣処理機６０の制御部６５に対して様々な指令を行うことができるようになっている。表示部９４は、例えば液晶ディスプレイ（ＬＣＤ）から構成されている。
【００８３】
また、筐体６１の前面には、貨幣処理機６０における貨幣の処理内容等を印字するプリンタ９３、および操作者の操作権限の確認を行うためのカードリーダ９６がそれぞれ設けられている。カードリーダ９６は、操作者が携帯するＩＤカードのＩＤ情報の読み取りを行うようになっている。
【００８４】
次に、貨幣処理機６０における各構成要素の制御を行う制御部６５について図４を用いて説明する。制御部６５は貨幣処理機６０の筐体６１内に設置されている。
【００８５】
図４に示すように、制御部６５には、紙幣処理装置７０の各構成要素（例えば、搬送部７５、識別部７６、リサイクル式紙幣収納部７７、紙幣ステージ７８、紙幣保留部７９、扉７４等）、硬貨処理装置８０の各構成要素（例えば、硬貨繰出部８３、搬送部８５、識別部８５ａ、横方向搬送部８８、金種別硬貨一時保留部８９を含むリサイクル式硬貨収納部８４、硬貨保留部８７ａ等）、貨幣収納部９０、表示部９４、操作部９５、プリンタ９３、カードリーダ９６、記憶部９７等が接続されている。また、制御部６５にはインターフェース６６を介して上位装置が接続されている。
【００８６】
制御部６５には、紙幣処理装置７０の識別部７６による紙幣の識別結果や、硬貨処理装置８０の識別部８５ａによる硬貨の識別結果が送られるようになっている。また、制御部６５には、操作部９５からの入力情報やカードリーダ９６によりカードから読み取られた操作者のＩＤ情報等の情報が送られるようになっている。
【００８７】
また、制御部６５は、貨幣処理機６０の操作が行われる際は操作部９５やカードリーダ９６から入力された操作者のＩＤ情報をもとに操作者の権限の確認を行う。また、制御部６５は、紙幣処理装置７０や硬貨処理装置８０の各構成要素を制御したり、表示部９４、プリンタ９３等を制御したりするようになっている。
【００８８】
次に、このような構成からなる貨幣処理機６０の動作について説明する。
【００８９】
上述のような貨幣処理機６０の動作としては、インターフェース確認モード、運用モードおよび保守メンテナンスモードの３つのモードがある。操作者は、操作部９５により、インターフェース確認モード、運用モードあるいは保守メンテナンスモードを選択することができる。
【００９０】
インターフェース確認モードとは、貨幣処理機６０の初期状態において、すなわち貨幣処理機６０が導入された際に、インターフェース６６により貨幣処理機６０が上位装置に通信接続されるか否かを確認するためのモードである。このようなインターフェース確認モードにおいて、インターフェース６６により貨幣処理機６０が上位装置に通信接続されたときには、上位装置から貨幣処理機６０に様々な設定データが送られる。
【００９１】
運用モードには、貨幣処理機６０が上位装置に通信接続された状態のオンラインモードと、貨幣処理機６０と外部との通信接続が遮断された状態のオフラインモードの２つの状態がある。オンラインモードには開店モードと閉店モードの２つのモードがあり、開店モードにおいて、操作者は貨幣の様々な処理を行うことができる。また、この開店モードにおいては、例えば売上金の回収業務を委託された収集業者の収集特定者によって、貨幣収納部９０の各カセット９１、９２自体の回収を行うこともできる。一方、閉店モードにおいては、収集特定者による貨幣収納部９０の各カセット９１、９２の回収のみしか行うことができない。なお、これらの開店モードおよび閉店モードの切り換えは、時間帯等による自動での切り替えも可能である。一方、オフラインモードにおいては、上位装置に対する情報の伝達は行われず、納金処理等の処理結果は貨幣処理機６０の記憶部９７に記憶されることとなる。上述の各モードの選択は、操作者が操作部９５により選択することができる。
【００９２】
保守メンテナンスモードの際に、保守員が貨幣処理機６０の紙幣処理装置７０や硬貨処理装置８０、貨幣収納部９０の各構成要素の保守メンテナンスを行う。このような保守メンテナンスは、貨幣処理機６０が設置された現場で行ってもよく、貨幣処理機６０を工場等に持ち帰ってこの工場内で行ってもよい。
【００９３】
以下、図４乃至図７に示す貨幣処理機６０において、筐体６１の外部から内部に取り込まれた紙幣や硬貨等からなる貨幣を貨幣収納部９０に収納するような、貨幣の一連の処理について説明する。
【００９４】
まず、操作者は、操作部９５により、制御部６５に対して貨幣の処理モードを入金出金連動モードとするよう指令を行う。そして、操作者は、釣銭用等の出金すべき貨幣である準備貨幣について、操作部９５により、準備貨幣の貨幣量（準備貨幣の金種およびその金種毎の枚数、あるいは合計金額）を入力する。これらの入力内容は制御部６５に設定される。なお、操作者が操作部９５により制御部６５に対して様々な指令を行う代わりに、上位装置からインターフェース６６を介して制御部６５に対して上述のような指令が行われるようになっていてもよい。
【００９５】
そして、店舗の売上金等の貨幣のうち紙幣を操作者が紙幣処理装置７０の紙幣投入口７１に投入したときには、紙幣投入口７１に投入された紙幣は１枚ずつ搬送部７５により搬送され、識別部７６において紙幣の金種、真偽、正損等の識別が行われる。識別部７６により識別が行われた紙幣のうち、正常な紙幣は各リサイクル式紙幣収納部７７に収納される。一方、識別部７６により識別を行うことができなかった紙幣や、識別により正常ではないと判断された紙幣はリジェクト紙幣として紙幣リジェクト口７２に送られる。そして、紙幣投入口７１から各リサイクル式紙幣収納部７７または紙幣リジェクト口７２への紙幣の搬送が終了すると、操作者は紙幣リジェクト口７２にあるリジェクト紙幣を取り出す。
【００９６】
その後、自動的に、制御部６５に設定された準備貨幣の所定の貨幣量分だけ（準備貨幣の金種毎の枚数分だけ、あるいは合計金額分だけ）、搬送部７５により各リサイクル式紙幣収納部７７から紙幣保留部７９に紙幣が送られる。より詳細には、各リサイクル式紙幣収納部７７に収納された紙幣は１枚ずつ搬送部７５に繰り出され、搬送部７５により紙幣が１枚ずつ搬送されるが、この搬送部７５に繰り出された紙幣は識別部７６を通り、この識別部７６により正常と判断された紙幣は紙幣保留部７９に送られ、正常でないと判断された紙幣は紙幣リジェクト口７２に送られることとなる。そして、各リサイクル式紙幣収納部７７から紙幣保留部７９または紙幣リジェクト口７２への紙幣の搬送が終了すると、紙幣保留部７９の装置前面側の壁面が開いて、操作者は紙幣保留部７９にある紙幣を釣銭用等の準備貨幣として扉７４から取り出すことができるようになる。
【００９７】
なお、上述のような紙幣の出金処理において、表示部９４には、各リサイクル式紙幣収納部７７から紙幣保留部７９に送られた釣銭用等の準備貨幣としての紙幣の金種毎の枚数、および／または合計金額がカウントアップ（加算表示）式で表示されるようになっている。あるいは、表示部９４には、予め制御部６５に設定された準備貨幣の所定の金種毎の枚数、および／または所定の合計金額がまず表示されており、この所定の金種毎の枚数または所定の合計金額から、実際に各リサイクル式紙幣収納部７７から紙幣保留部７９に送られた紙幣の枚数または金額を減算して表示するようなカウントダウン（減算表示）式で紙幣の金種毎の枚数および／または合計金額が表示されるようになっていてもよい。この場合、ある金種において、実際に各リサイクル式紙幣収納部７７から紙幣保留部７９に送られた紙幣の枚数が、予め制御部６５に設定された準備貨幣の所定の枚数に満たないときには、あるいは、実際に各リサイクル式紙幣収納部７７から紙幣保留部７９に送られた紙幣の合計金額が、予め制御部６５に設定された準備貨幣の所定の合計金額に満たないときには、表示部９４にこのことが表示されることとなる。
【００９８】
また、ある金種について、当該金種に対応するリサイクル式紙幣収納部７７の紙幣の実際の収納枚数が、予め制御部６５に設定された準備貨幣の所定の枚数に対して不足している場合には、他のリサイクル式紙幣収納部７７に収納された下位の金種の紙幣を代替させることができる。すなわち、例えば五千円札を収納するリサイクル式紙幣収納部７７における五千円札の収納枚数が、予め制御部６５に設定された準備貨幣の所定の枚数に対して不足している場合には、千円札を収納する他のリサイクル式紙幣収納部７７における千円札を準備貨幣として五千円札の代わりに紙幣保留部７９に搬送することにより、紙幣保留部７９における準備貨幣の合計金額が不足しないようにする。なお、このような準備貨幣に関する不足紙幣の代替については、代替を行うか否かを操作部９５により予め設定することができるようになっている。
【００９９】
次に、店舗の売上金等の貨幣のうち硬貨を操作者が硬貨処理装置８０の硬貨投入口８１に投入した場合について説明する。操作者が硬貨処理装置８０の硬貨投入口８１に硬貨を投入したときには、まず硬貨投入口８１から硬貨繰出部８３に硬貨が送られ、この硬貨繰出部８３から硬貨は１枚ずつ搬送部８５に繰り出される。そして、搬送部８５により硬貨は１枚ずつ搬送され、識別部８５ａにより硬貨の金種、真偽、正損等の識別が行われる。識別部８５ａにより識別が行われた硬貨のうち、正常な硬貨は選別孔８６を介して搬送部８５から落下し、金種別硬貨一時保留部８９に送られる。そして、金種別硬貨一時保留部８９から各リサイクル式硬貨収納部８４に硬貨が送られ、このリサイクル式硬貨収納部８４に硬貨が金種別に収納される。一方、識別部８５ａにより識別を行うことができなかった硬貨や、識別により正常ではないと判断された硬貨はリジェクト硬貨として硬貨返却口８２に送られる。そして、硬貨繰出部８３から各リサイクル式硬貨収納部８４または硬貨返却口８２への硬貨の搬送が終了すると、操作者は硬貨返却口８２にあるリジェクト硬貨を取り出す。
【０１００】
その後、自動的に、制御部６５に設定された準備貨幣の所定の貨幣量分だけ（準備貨幣の金種毎の枚数分だけ、あるいは所定の合計金額分だけ）、各リサイクル式硬貨収納部８４から金種別硬貨一時保留部８９を経て横方向搬送部８８に硬貨が送られ、この横方向搬送部８８から硬貨繰出部８３に硬貨が送られる。そして、硬貨繰出部８３から搬送部８５に硬貨が１枚ずつ繰り出され、この繰り出された硬貨は搬送部８５により硬貨返却口８２に搬送される。そして、各リサイクル式硬貨収納部８４から硬貨返却口８２への硬貨の搬送が終了すると、操作者は硬貨返却口８２にある硬貨を釣銭用等の準備貨幣として取り出すこととなる。
【０１０１】
なお、上述のような紙幣の出金処理において、表示部９４には、各リサイクル式硬貨収納部８４から硬貨返却口８２に送られた釣銭用等の準備貨幣としての硬貨の金種毎の枚数、および／または合計金額がカウントアップ（加算表示）式で表示されるようになっている。あるいは、表示部９４には、予め制御部６５に設定された準備貨幣の所定の金種毎の枚数、および／または所定の合計金額がまず表示されており、この所定の金種毎の枚数または所定の合計金額から、実際に各リサイクル式硬貨収納部８４から硬貨返却口８２に送られた硬貨の枚数または金額を減算して表示するようなカウントダウン（減算表示）式で硬貨の金種毎の枚数、および／または合計金額が表示されるようになっていてもよい。この場合、ある金種において、実際に各リサイクル式硬貨収納部８４から硬貨返却口８２に送られた硬貨の枚数が、予め制御部６５に設定された準備貨幣の所定の枚数に満たないときには、あるいは、実際に各リサイクル式硬貨収納部８４から硬貨返却口８２に送られた硬貨の合計金額が、予め制御部６５に設定された準備貨幣の所定の合計金額に満たないときには、表示部９４にこのことが表示されることとなる。
【０１０２】
また、ある金種について、当該金種に対応するリサイクル式硬貨収納部８４の硬貨の実際の収納枚数が、予め制御部６５に設定された準備貨幣の所定の枚数に対して不足している場合には、他のリサイクル式硬貨収納部８４に収納された下位の金種の硬貨を代替させることができる。すなわち、例えば百円硬貨を収納するリサイクル式硬貨収納部８４における百円硬貨の収納枚数が、予め制御部６５に設定された準備貨幣の所定の枚数に対して不足している場合には、十円硬貨を収納する他のリサイクル式硬貨収納部８４における十円硬貨を準備貨幣として百円硬貨の代わりに硬貨返却口８２に搬送することにより、硬貨返却口８２における準備貨幣の合計金額が不足しないようにする。なお、このような準備貨幣に関する不足紙幣の代替については、代替を行うか否かを操作部９５により予め設定することができるようになっている。
【０１０３】
以上のように本実施の形態の貨幣処理機６０によれば、制御部６５において、釣銭用等の出金すべき準備貨幣の所定の貨幣量（準備貨幣の所定の金種およびその金種毎の枚数、あるいは所定の合計金額）が設定されており、この制御部６５は、紙幣投入口７１や硬貨投入口８１により筐体６１の外部から内部に紙幣や硬貨を取り込み、この取り込まれた紙幣や硬貨を貨幣収納部９０の紙幣収納カセット９１や硬貨収納カセット９２に送るような入金収納処理を行った後に、準備貨幣の所定の貨幣量分の紙幣や硬貨を各リサイクル式紙幣収納部７７や各リサイクル式硬貨収納部８４から紙幣保留部７９や硬貨返却口８２に送るような出金処理を自動的に行うよう制御を行うようになっている。このように、紙幣や硬貨の入金収納処理を行った後、制御部６５に設定された所定の貨幣量分の紙幣や硬貨の出金処理を自動的に行うことができるので、操作者は操作部９５における一度の操作で貨幣の入金収納処理と出金処理の両方を行うことができるようになり、このためこれらの２つの処理の間に発生する操作者の待ち時間を削減することができるとともに操作者が出金処理の操作を忘れてしまい出金処理が行われないままとなってしまうことを防止することができるようになる。
【０１０４】
なお、本実施の形態の貨幣処理機６０においては、紙幣処理装置７０や硬貨処理装置８０において紙幣や硬貨の投入部と投出部とは別々のものとなっているが、投入部および投出部が一体となっていてもよい。
【符号の説明】
【０１０５】
１    紙幣処理機
１０  筐体
１０ｐ  上部ユニット
１０ｑ  下部ユニット
１２  紙幣投入部
１２ａ  投入口
１２ｂ  フィードローラ
１２ｃ  ゲートローラ
１２ｄ  キッカローラ
１４  紙幣投出部
１４ａ  投出口
１４ｂ  札叩き用羽根車
１４ｃ  透明シャッター
１６  搬送部
１８  識別部
２０  一時保留部
２０ａ  フィードローラ
２０ｂ  ゲートローラ
２０ｃ  キッカローラ
２０ｄ  紙幣投入検知センサ
２２  収納部
２２ａ  集積台
２２ｂ、２２ｃ  繰込ローラ
２２ｄ  キッカローラ
２２ｅ  フィードローラ
２２ｆ  ゲートローラ
２３  収納部
２３ａ  ドラム
２３ｂ、２３ｃ  テープ
２３ｄ、２３ｅ  巻取ローラ
２３ｆ、２３ｇ  開口部
２４  リジェクトボックス
２６  分岐部材
３０  扉
３４  表示操作部
４０  ユニット錠
４４  取手
４６  ロック機構
５０  制御部
５２  インターフェース
６０  貨幣処理機
６１  筐体
６５  制御部
７０  紙幣処理装置
７１  紙幣投入口
７２  紙幣リジェクト口
７３  紙幣返却口
７４  扉
７５  搬送部
７６  識別部
７７、７７ａ〜７７ｃ  リサイクル式紙幣収納部
７７ｐ  ドラム
７８  紙幣ステージ
７９  紙幣保留部
８０  硬貨処理装置
８１  硬貨投入口
８２  硬貨返却口
８３  硬貨繰出部
８４、８４ａ〜８４ｆ  リサイクル式硬貨収納部
８５  搬送部
８５ａ  識別部
８６  選別孔
８７ａ  硬貨保留部
８７ｂ  シュート
８８  横方向搬送部
８８ａ  循環ベルト
８９  金種別硬貨一時保留部
９０  貨幣収納部
９１  紙幣収納カセット
９２  硬貨収納カセット
９３  プリンタ
９４  表示部
９５  操作部
９６  カードリーダ
９７  記憶部
【図１】
2010224808.tif 000003
【図２】
2010224808.tif 000004
【図３】
2010224808.tif 000005
【図４】
2010224808.tif 000006
【図５】
2010224808.tif 000007
【図６】
2010224808.tif 000008
【図７】
2010224808.tif 000009
【図８】
2010224808.tif 000010